(57)【要約】【課題】      ビルの屋上緑化に用いる屋上緑化プランターにおいて、容易に搬送、設置できるとともに、土壌の入替え等も簡単に行えるようにする。【解決手段】  屋上緑化プランターは、植物を植栽するプランター本体１０と、プランター本体１０の上面に設けられ、プランター本体１０の上面より大きい面積を有する網状パネル体２０とを有する。プランター本体１０は、水が貯留される外枠体３０と、外枠体３０内に分離自在に設置され土壌が充填される内枠体４０と、外枠体３０に貯留された水を内枠体４０に充填された土壌に供給する揚水管５０とを有している。外枠体３０は中間部分に段部３１が形成されている。段部３１に内枠体４０が載置されている。【選択図】    図５
2008237176.tif 000002
【特許請求の範囲】
【請求項１】
植物を植栽するプランター本体と、該プランター本体の上面に設けられ、プランター本体の上面より大きい面積を有する網状パネル体とを有するプランターであって、前記プランター本体は、水が貯留される外枠体と、該外枠体内に分離自在に設置され土壌が充填される内枠体と、該外枠体に貯留された水を内枠体に充填された土壌に供給する揚水管とを有し、該外枠体は、中間部分に段部が形成され、該段部より下方の下部枠と、該段部より上方であって下部枠より水平方向に突出した上部枠とを有し、該段部に内枠体が載置されるとともに、該下部枠に水が貯留されることを特徴とする屋上緑化プランター。
【請求項２】
前記外枠体と内枠体との間に、下部枠に水を給水する給水路が形成されていることを特徴とする請求項１記載の屋上緑化プランター。
【請求項３】
前記外枠体の下部枠に貯留された水の水位を表示する水位計が設けられていることを特徴とする請求項１又は２記載の屋上緑化プランター。
【発明の詳細な説明】
【技術分野】
【０００１】
本発明は、ビル等の屋上緑化に適したプランターに関し、更に詳しくは、プランターの設置等が簡単な屋上緑化プランターに関するものである。
【０００２】
本発明は、
【背景技術】
【０００３】
近年、ヒートアイランド現象の緩和、大気中の二酸化炭素の削減、建物の省エネルギー及び人への癒し効果等の観点から、ビル等の屋上床面を植物で覆い隠す屋上緑化が進められている。
【０００４】
従来、屋上緑化の方法としては、建物の屋上をパーゴラ等の棚で覆い、このパーゴラの下にプランターを設置し、プランターに植栽したつる植物の枝葉をパーゴラに誘引する屋上緑化方法が提案されている（特許文献１参照）。また、屋上緑化の方法ではないが、プランターにネットを取り付け、このネットにプランターに植栽したつる植物を誘引する緑化方法が提案されている（特許文献２参照）。
【０００５】
しかしながら、特許文献１で提案された屋上緑化方法は、つる植物をパーゴラに誘引して緑化するものであるので、屋上が緑化されるまでに長期間を要するものであり、また、特許文献２で提案された緑化方法は、垂直面への緑化は可能であるが水平面への緑化をすることができず、屋上緑化方法としては採用できるものではなかった。
【０００６】
そこで、本出願人は、上述した従来の屋上緑化方法の問題点を解消するために鋭意検討し、プランター本体の上面よりも大きい面積を有する網状パネル体を、プランター本体の上面に設けたプランターを提案した（特許文献３参照）。このプランターによれば、つる植物が網状パネル体に沿って成長するので、短期間で屋上緑化を図れ、極めて好ましいものであった。
【０００７】
【特許文献１】特開平９−１４０２５２号公報
【特許文献２】特開平７−３９３６６号公報
【特許文献３】特開２００５−１７６８２７号公報
【発明の開示】
【発明が解決しようとする課題】
【０００８】
ところで、上述した特許文献３で提案された屋上緑化プランターは、緑化の効率化、屋上における強風対策等の点からプランター本体が５０ｃｍを超える幅に形成され、その総重量が１００ｋｇを優に超えるものであるので、プランターの搬送、設置等が面倒なものであった。また、古くなった土壌の入替え、植物の根の管理、新しい植物の植栽等を行う場合、プランター本体から土壌を取出して行わなければならず面倒なものであった。
【０００９】
本発明は、以上の問題点を解決し、プランター本体にフォークリフトの爪等を係合させることできる段部を形成するとともに、プランター本体を、土壌を充填する内枠体と、水を貯留する外枠体とで構成するとともに、内枠体を外枠体から分離自在とすることにより、容易に搬送、設置できるとともに、土壌の入替え等も簡単に行える屋上緑化プランターを提供することを目的とする。
【課題を解決するための手段】
【００１０】
請求項１に係る屋上緑化プランターは、植物を植栽するプランター本体と、該プランター本体の上面に設けられ、プランター本体の上面より大きい面積を有する網状パネル体とを有するプランターであって、前記プランター本体は、水が貯留される外枠体と、該外枠体内に分離自在に設置され土壌が充填される内枠体と、該外枠体に貯留された水を内枠体に充填された土壌に供給する揚水管とを有し、該外枠体は、中間部分に段部が形成され、該段部より下方の下部枠と、該段部より上方であって下部枠より水平方向に突出した上部枠とを有し、該段部に内枠体が載置されるとともに、該下部枠に水が貯留されることを特徴として構成されている。
【００１１】
請求項２に係る屋上緑化プランターは、請求項１記載の屋上緑化プランターにおいて、外枠体と内枠体との間に、下部枠に水を給水する給水路が形成されていることを特徴として構成されている。
【００１２】
請求項３に係る屋上緑化プランターは、請求項１又は２記載の屋上緑化プランターにおいて、外枠体の下部枠に貯留された水の水位を表示する水位計が設けられていることを特徴として構成されている。
【発明の効果】
【００１３】
請求項１に係る屋上緑化プランターによれば、水が貯留される外枠体と、該外枠体内に分離自在に設置され土壌が充填される内枠体とで構成されているので、土壌を充填した内枠体をプランター本体から取出し、単独で取り扱うことができる。したがって、土壌の入替え、植物の植え替え、植物の根の管理等を簡単に行うことができ、また内枠体のみで予め植物を育成することができる。
【００１４】
また、外枠体は、中間部分に段部が形成され、該段部より下方の下部枠と、該段部より上方であって下部枠より水平方向に突出した上部枠とで構成されているので、フォークリフトの爪を段部の外面に係合させることにより、プランター本体を容易に持ち上げることができる。したがって、プランター本体の重量が大きい場合であっても、容易に搬送、設置することができる。さらに、段部の上面に内枠体を載置しているので、内枠体の設置及び分離を簡単に行うことができる。
【００１５】
さらに、外枠体に貯留された水を内枠体に充填された土壌に供給する揚水管が設けられているので、降雨が無い場合であっても長期に亘って土壌に水を供給することができる。さらに、外枠体と内枠体とは揚水管で連通し、揚水管の面積は内枠体の底部の面積に比して小さいので、降雨により土壌に雨水が浸入しても、土壌中の肥料分が下部枠の貯留水に流亡するのを可及的に抑えることができる。
【００１６】
請求項２に係る屋上緑化プランターによれば、外枠体と内枠体との間に、下部枠に水を給水する給水路が形成されているので、下部枠に水を供給する際、内枠体に充填された土壌を通ることなく直接供給することができる。したがって、土壌中の肥料分が流亡することが無く、また有機肥料分が下部枠の貯留水に流入することによる貯留水の腐敗を防止することができる。
【００１７】
請求項３に係る屋上緑化プランターによれば、外枠体の下部枠に貯留された水の水位を表示する水位計が設けられているので、一目で水の状態を認識することができ、給水の時期を逸することがない。
【発明を実施するための最良の形態】
【００１８】
本発明の屋上緑化プランターにおいては、プランター本体は、外枠体と、外枠体に分離自在に設けられた内枠体とで構成されており、これらの枠体の形状は、断面が円形状、正方形状、長方形状、多角形状等の筒状体等の各種形状を採用することができる。また、外枠体としては、表面に塗装が施されたＧＲＣ（ガラス繊維強化軽量コンクリート）、ＦＲＰ等の樹脂を採用することができ、内枠体としては、ＡＳＡ樹脂、ＡＥＳ樹脂等の各種樹脂を採用することができる。
【００１９】
外枠体の中間部分に形成される段部は、その外面においてフォークリフト等の爪が係合できる幅を有し、また、内面において内枠体を載置できる幅を有しておれば、その他の形状、例えば、上部枠の幅と下部枠の幅の比、上部枠の厚み、下部枠の厚み等は適宜変更することができる。段部の外面における幅は、例えば５０ｍｍ以上が好ましい。さらに、段部が形成される中間部分は、高さ方向の略１／２である必要は無く、土壌の量と貯留水の量等を考慮して適宜変更することができる。
【００２０】
揚水管は、毛細管現象により下部枠に貯留した水を揚水して内枠体に充填した土壌に供給するもので、内部に揚水材が充填されている。揚水材としては、毛細管現象を発揮する材料であれば特に限定されないが、保水性の観点からパーライトや焼成瓦の破砕物が好ましく、また腐敗（土壌中の有機肥料分が雨水とともに混入することによる腐敗）防止の観点からゼオライトが好ましく、これらパーライト或いは焼成瓦の破砕物とゼオライトとを混合して用いることが好ましい。パーライト或いは焼成瓦の破砕物とゼオライトとの混合比は、パーライト、焼成瓦の破砕物：約６０〜約８０vol％、ゼオライト：約４０〜約２０vol％が好ましい。また、パーライト、焼成瓦の破砕物の粒径は２〜１０ｍｍが好ましく、ゼオライトの粒径は２〜１０ｍｍが好ましい。
【００２１】
外枠体と内枠体との間に給水路が形成されており、この給水路は下部枠に水を供給するためのもので、内枠体内の土壌を介することなく給水できるものである。給水路を形成するには、外枠体と内枠体との間に水を通すだけの空間を形成することにより行うことができ、例えば、内枠体の周縁の一部を内側に引込むことにより空間を形成しても、外枠体の周縁の一部を外側に突出させることにより空間を形成してもよい。給水路に水を供給するには、例えば、水道水の蛇口に連結したホース等を用いて供給する。
【００２２】
給水路には水位計を設けることができる。給水路に水位計を設けることにより土壌内を水位計が通ることがないので、シール構造等を施す必要が無く、簡単な構造とすることができる。また、水位の表示部をプランター本体の上方に配置することにより、容易に水位を確認することができる。
【００２３】
内枠体に充填する土壌は、屋上に設置するために軽量であり、かつ水やりを長期間不要とするために高い保水性を維持できるものが好ましく、また、植物をプランター本体に植え込み後、植物（特に、つる植物のつる）の育成を早めるために最適な有機系肥料を配合することが好ましい。例えば、パーライト（保水、軽量）、バーミキュライト（保水、軽量、保肥）、ピートモス（保水、保肥）、苦土（肥料）、腐植（肥料）を用い、これらの複数種類を所定の割合で配合した土壌を用いる。
【００２４】
プランター本体に植栽する植物としては、横方向に誘引できる植物や横方向に成長する植物であり、例えば、ヘデラ・カナリエンシス、ヘデラ・ヘリックス、スイカズラ、テイカカズラ等のつる植物がある
次に、本発明による屋上緑化プランターの第１実施形態を図面を参照して説明する。
【００２５】
図１は本発明による屋上緑化プランターの平面図、図２は同上正面図、図３は同上右側面図、図４は同上斜視図、図５は土壌が充填されるとともに水が貯留された状態の図１中Ａ−Ａ線断面図、図６は緑化プランターにおける外枠体の平面図、図７は同上正面図、図８は図６中Ｂ−Ｂ線断面図、図９は同上底面図、図１０は緑化プランターにおける内枠体の平面図、図１１は同上正面図、図１２は図１０中Ｃ−Ｃ線断面図、図１３は同上底面図、図１４は屋上緑化プランターにおける給水路部分の平面図、図１５は図１４中Ｄ−Ｄ線断面図（貯水ゼロ時）、図１６も図１４中Ｄ−Ｄ線断面図（満水時）、図１７は屋上緑化プランターにおける揚水管部分の平面図、図１８は図１７中Ｅ−Ｅ線断面図、図１９は図１８中Ｆ−Ｆ線断面図、である。
【００２６】
図１〜図４において、１０は土壌が充填されて植栽されるプランター本体であり、２０はプランター本体１０に植栽されたつる植物のつる等を誘引する網状パネル体で、緑色の塗装が施された金属線材で平面視正方形状に形成されている。この網状パネル体２０は、プランター本体１０の上面において略水平方向に設けられており、プランター本体１０の直径が８００ｍｍで、網状パネル体２０の一辺が１８００ｍｍとなって、網状パネル体２０の面積がプランター本体１０の上面の面積より大きくなっているので、網状パネル体２０がプランター本体１０から周縁方向に突出した状態となっている。この網状パネル体２０は、上面網目パネル２１と、この上面網目パネル２１と平行に配置された下面網目パネル２２と、これら上面網目パネル２１と下面網目パネル２２とを連結する斜めに配置された連結線材２３とで形成されており、所謂二重金網構造となっている。そして、上面網目パネル２１及び下面網目パネル２２のプランター本体１０の上方に位置する部分は、網目が大きく形成されている。
【００２７】
プランター本体１０は、その外側面の４箇所に略Ｌ字状の取付け金具１１の垂直面部が取付けられ、この取付け金具１１の垂直面部の下端部と水平面部の先端部の間に設けられ、斜め上方に立ち上がるように丸パイプ状の補強金具１２が固定されている。そして、この取付け金具１１の水平面部に前記網状パネル体２０が固定されている。すなわち、取付け金具１１の水平面部の先端には、上方に位置する押えブラケット１３と、その下方に位置する取付け台座１４とが設けられ、押えブラケット１３に形成された十字状の凹部１３ａ内に網状パネル体２０の線材を配置するとともに、押えブラケット１３を取付け台座１４に螺子止めしている。
【００２８】
前記プランター本体１０は、図５に示すように、表面に塗装を施した軽量コンクリートで略円筒状に一体形成された外枠体３０と、この外枠体３０の内部に分離自在に設けられＡＥＳ樹脂で形成された内枠体４０とで構成されており、外枠体３０と内枠体４０との間には揚水管５０が設けられている。
【００２９】
外枠体３０は、図６〜図９に示すように、略中間に段部３１が形成され、この段部３１の外周縁において上方に立ち上がる上部枠３２が形成されるとともに、段部３１の内周縁において下方に立下がる下部枠３３が形成されている。したがって上部枠３２と下部枠３３とは同心円状に形成され、上部枠３２は、段部３１の下面３１ａの幅だけ下部枠３３より側方へ突出し、この段部３１の下面３１ａにフォークリフト等の爪が係合できるようになっている。また、段部３１の上面３１ｂには、前記内枠体４０が載置されるものである。なお、段部３１の下面３１ａは下部枠３３の外周から５５ｍｍ幅で突出している。
【００３０】
上部枠３２の外周面の４箇所には、上下の略全面に亘って金具取付け板用溝３４が形成され、この金具取付け板用溝３４に前記金具取付け板１１が螺子で固定される。下部枠３３の底面の周縁近傍には、硬質ゴムで形成された接地脚部３５が等間隔で３箇所に設けられている。この接地脚部３５は、床面との摩擦を大きくしてプランター本体１０が強風によりずり動くのを防止するとともに、床面に敷設された防水層を傷つけないようにするものである。
【００３１】
内枠体４０は、図１０〜図１３に示すように、略円筒状に形成されており、その外側面が上部枠３２の内側面と略同一形状及び寸法に形成されている。したがって、内枠体４０を段部３１の上面３１ｂに載置した際、略密着状態となっており、さらに周縁上端において外側水平方向に鍔部４１が形成され、この鍔部４１が上部枠３２の上端に被さるようになっている。
【００３２】
内枠体４０の周縁の一部には、図１４〜図１６に示すように、内側に略「Ｕ」字状に引込まれて隔壁４２が形成され、この隔壁４２と前記上部枠３２とで下部枠３３に連通する空間が形成され、この空間が給水路６０となっている。また、給水路６０の上部には、下方に一段窪んだ水受け部４３が形成されるとともに、鍔部４１と同一の高さの水位計取付け部４４が一体に形成され、水受け部４３には水を通すとともに石等の異物を除去するスリット４５が複数形成されている。水位計取付け部４４には貫通孔４６が穿設されており、この貫通孔４６に水位計７０が挿通されている。
【００３３】
水位計７０は、透明な円筒状の筒体７１が設けられ、この筒体７１の上部は内枠体４０より上方に突出するように配置されている。筒体７１の内部には、フローと７２と、フローと７２の上端に固着された表示棒７３とが上下動自在に挿入されており、また、筒体７１の下部には、水が流入するための貫通孔７４が形成されている。したがって、下部枠３３にける貯水がゼロの場合は、図１５に示すように、表示棒７３の先端が筒体７１の上端から下方に位置し、略満杯に水８０が貯留されている場合は、図１６に示すように、表示棒７３の先端が筒体７１の上端に位置するようになっている。
【００３４】
内枠体４０の底部下面には、放射状に６本、円状に１本の溝状突起４７が形成されるとともに、溝状突起４７の交差部（７箇所）が揚水管取付け部４８となっている。揚水管取付け部４８には、少なくとも１本の揚水管５０を取付けるものであり、適宜必要に応じて複数本の揚水管５０を取付けることができ、揚水管５０を取付ける揚水管取付け部４８には、直径３８ｍｍの貫通孔４８ａが形成され、揚水管５０を取付けない揚水管取付け部４８には、貫通孔４８ａより小径である直径２０ｍｍの水抜き孔４８ｂが形成される。本実施形態においては、中心に位置する揚水管取付け部４８に貫通孔４８ａが形成され、その他の揚水管取付け部４８には水抜き孔４８ｂが形成されており、貫通孔４８ａの内部又は上部には土壌の落下防止のための網状部材（図示せず）が設けられている。また、図１７に示すように、貫通孔４８ａの周囲３箇所には、ビス用貫通孔４９が形成されている。
【００３５】
揚水管５０は、アルミニウム製形材で形成されており、図１８及び図１９に示すように、長さ１４５ｍｍ、径５６ｍｍの円筒状の筒体５１から構成されている。そして、筒体５１の上端部で貫通孔４８ａを覆うように配置し、ビス用貫通孔４９を介してビス（図示せず）を揚水管５０の内壁面に形成したビスホール５２に螺入することにより取付けている。また、筒体５１の下部には、長さ４０ｍｍ、幅１．２〜１．５ｍｍのスリット５３が４箇所形成されており、水が筒体５１内部に流入できるようになっている。さらに、筒体５１の内部には、揚水材５４が充填されており、この揚水材５４は、粒径２〜１０ｍｍの焼成瓦の破砕物７０vol％、粒径２〜１０ｍｍのゼオライト３０vol％から構成されている。
【００３６】
以上のような屋上緑化プランターにおいては、屋上緑化プランターを搬送又は設置する際、フォークリフトの爪を外枠体３０の段部３１の外面３１ａに当接、係合し、その状態で引き上げることにより爪に載置することができるので、極めて簡単に搬送又は設置することができる。また、外枠体３０に給水する際、水受け部４３にホース等で給水すると、水はスリット４５から給水路６０を通って下部枠３３内に流入し貯留される。したがって土壌により汚染されることなく、クリーンな状態で水を供給することができる。また、この時、内枠体４０は外枠体３０内の任意の回転状態で設置することができるので、給水路６０が給水に好適な位置になるように、内枠体４０を回転させて設置する。さらに、下部枠３３に貯留された水は、水位計７０によりその量が表示されるので、一目で残量が確認でき、常に的確に給水を行うことができる。
【００３７】
また、揚水管５０に流入した水は、揚水材５４による毛細管現象により上方へ送られ、貫通孔４８ａを介して土壌にまで送られる。したがって、下部枠３３に水が貯留されている限り、特に灌水を行わなくても植物を良好に育成することができる。
【００３８】
さらに、植物を長期間育成して土壌の入替えが必要になった場合は、内枠体４０を外枠体３０から取り出して作業することができるので、土壌の入替え作業を効率的に行うことができる。
【００３９】
本発明による屋上緑化プランターの第２実施形態を図面を参照して説明する。図２０は本発明による屋上緑化プランターの平面図、図２１は同上正面図であり、これらの図に示す屋上緑化プランターは、プランター本体の形状を変更した他は、第１実施形態と同様である。すなわち、プランター本体１０が正方形状の筒体に形成されており、したがって、外枠体３０及び内枠体４０も正方形状に形成されている。その他の構成は第１実施形態と同様であるので、同一構成には同一の符号を用い説明を省略する。
【００４０】
本発明による屋上緑化プランターの第３実施形態を図面を参照して説明する。図２２は本発明による屋上緑化プランターの平面図、図２３は同上正面図であり、これらの図に示す屋上緑化プランターは、プランター本体の形状を変更した他は、第１実施形態と同様である。すなわち、プランター本体１０が正八角形状の筒体に形成されており、したがって、外枠体３０及び内枠体４０も正八角形状に形成されている。その他の構成は第１実施形態と同様であるので、同一構成には同一の符号を用い説明を省略する。
【図面の簡単な説明】
【００４１】
【図１】本発明による屋上緑化プランターの第１実施形態の平面図
【図２】本発明による屋上緑化プランターの第１実施形態の正面図
【図３】本発明による屋上緑化プランターの第１実施形態の右側面図
【図４】本発明による屋上緑化プランターの第１実施形態の斜視図
【図５】土壌が充填されるとともに水が貯留された状態の図１中Ａ−Ａ線断面図
【図６】本発明による屋上緑化プランターの第１実施形態における外枠体の平面図
【図７】本発明による屋上緑化プランターの第１実施形態における外枠体の正面図
【図８】図６中Ｂ−Ｂ線断面図
【図９】本発明による屋上緑化プランターの第１実施形態における外枠体の底面図
【図１０】本発明による屋上緑化プランターの第１実施形態における内枠体の平面図
【図１１】本発明による屋上緑化プランターの第１実施形態における内枠体の正面図
【図１２】図１０中Ｃ−Ｃ線断面図
【図１３】本発明による屋上緑化プランターの第１実施形態における外枠体の底面図
【図１４】本発明による屋上緑化プランターの第１実施形態における給水路部分の平面図
【図１５】図１４中Ｄ−Ｄ線断面図（貯水ゼロ時）
【図１６】図１４中Ｄ−Ｄ線断面図（満水時）
【図１７】本発明による屋上緑化プランターの第１実施形態における揚水管部分の平面図
【図１８】図１７中Ｅ−Ｅ線断面図
【図１９】図１８中Ｆ−Ｆ線断面図
【図２０】本発明による屋上緑化プランターの第２実施形態の平面図
【図２１】本発明による屋上緑化プランターの第２実施形態の平面図
【図２２】本発明による屋上緑化プランターの第３実施形態の平面図
【図２３】本発明による屋上緑化プランターの第３実施形態の平面図
【符号の説明】
【００４２】
１０    プランター本体
２０    網状パネル体
３０    外枠体
３１    段部
３１ａ  段部外面
３１ｂ  段部内面
３２    上部枠
３３    下部枠
４０    内枠体
５０    揚水管
５４    揚水材
６０    給水路
７０    水位計
８０    水
【図１】
2008237176.tif 000003
【図２】
2008237176.tif 000004
【図３】
2008237176.tif 000005
【図４】
2008237176.tif 000006
【図５】
2008237176.tif 000007
【図６】
2008237176.tif 000008
【図７】
2008237176.tif 000009
【図８】
2008237176.tif 000010
【図９】
2008237176.tif 000011
【図１０】
2008237176.tif 000012
【図１１】
2008237176.tif 000013
【図１２】
2008237176.tif 000014
【図１３】
2008237176.tif 000015
【図１４】
2008237176.tif 000016
【図１５】
2008237176.tif 000017
【図１６】
2008237176.tif 000018
【図１７】
2008237176.tif 000019
【図１８】
2008237176.tif 000020
【図１９】
2008237176.tif 000021
【図２０】
2008237176.tif 000022
【図２１】
2008237176.tif 000023
【図２２】
2008237176.tif 000024
【図２３】
2008237176.tif 000025
【手続補正書】
【提出日】平成19年6月14日(2007.6.14)
【手続補正１】
【補正対象書類名】明細書
【補正対象項目名】０００７
【補正方法】変更
【補正の内容】
【０００７】
【特許文献１】特開平９−１４０２５２号公報
【特許文献２】実開平７−３９３６６号公報
【特許文献３】特開２００５−１７６８２７号公報